(57)【要約】【課題】道路区画用ブロックで、雨水を導水供給して簡便かつ順調に草花類Ｆが植栽できる植栽方法と道路区画用ブロックを提供する。【解決手段】道路類区画用ブロック１に深孔状の植栽部５を設け、その植栽部５の下半部分に設けた給水貯水層２０に連通し、かつ、側壁４に開口する給水路７を設け、しかるのち、給水路７に道路ガーター部Ｇの雨水・給水を導入水することによって、給水路７を通した導入水を給水貯水層２０に貯水し、続いて該貯水を上層の培土層２１へ順次自吸給水させて植栽する草花類の植栽方法と、道路類区画用ブロック１が特徴である。【選択図】    図１
2004242546.tif 000002
【特許請求の範囲】
【請求項１】
草花類を植栽ブロックまたは植栽容器で植栽するにおいて、前記植栽ブロックまたは植栽容器の深孔状の植栽部の下半部分に設けた給水貯水層に連通し、かつ、該植栽ブロックまたは植栽容器の側壁に開口する給水路を設け、しかるのち、前記給水路に雨水・給水を導入水することによって、前記給水路を通した該導入水を前記給水貯水層に貯水し、続いて該貯水を上層の培土層へ順次給水させて植栽することを特徴とする草花類の植栽方法。
【請求項２】
道路類区画用ブロックにおいて、該ブロックの上面に開口して、上半部分が培土層にして下半部分を給水貯水層に成す深孔状の植栽部と、該ブロックの側壁に導水口を開口し、かつ該給水貯水層に連通する給水路を備え、該給水路から雨水・給水を該給水貯水層へ導水給水する構造を特徴とする道路類区画用ブロック。
【請求項３】
草花類の植栽容器において、該植栽容器の上面に開口して上半部分が培土層にして下半部分を給水貯水層に成す深孔状の植栽部と、該植栽容器の側壁に開口する導水口から該給水貯水層に連通する給水路を備え、さらに、該側壁に雨水・給水を該導水口に導入水する導水樋を設けた構造を特徴とする草花類の植栽容器。
【請求項４】
植栽部への装着セット状態において、該植栽部の給水路に開口する給水口を備え、上半部分が培土層にして下半部分を給水貯水層に成す栽培ポットを、前記植栽部へ装着セット・外し自在に設けた構造を特徴とする請求項２の道路類区画用ブロックまたは請求項３の草花類の植栽容器。
【請求項５】
栽培ポットが、下半部分を給水貯水層に成すポット本体と、培土を入れて該ポット本体の上半部分に装着セット・外し自在の培土ポットの組合せから成る請求項４の道路類区画用ブロックまたは草花類の植栽容器。
【請求項６】
給水貯水層が、杉・檜類の樹皮細片層から成る請求項２〜請求項５のいずれかの道路類区画用ブロックまたは草花類の植栽容器。
【請求項７】
栽培ポットの外周と植栽部の内周との間に、保温用空隙を設けた請求項４〜請求項６のいずれかの道路類区画用ブロックまたは草花類の植栽容器。
【発明の詳細な説明】
【０００１】
【発明の属する技術分野】
本発明は、道路類区画用ブロックまたは草花類の植栽容器を用いる草花類の植栽方法と、その植栽方法に用いる道路類区画用ブロック・植栽容器に関するものである。
【０００２】
なお、本発明の道路類区画用ブロックとは、公知の車道・歩道の区画用ブロックの他花壇等の輪郭ブロックを含めたものを意味し、草花類とは容器植栽する通常の草花以外の植物を含めたものを意味する。
【０００３】
【従来の技術】
美観向上や良好な環境雰囲気を醸成する意図から、道路面に小植物や草花を直接植栽したり、草花類を植栽した植栽容器を設置したり、一般家庭やレストラン等の人の集まる所では、同じく草花類を植栽した植栽容器を設置する草花類の植栽方法が一般に広く普及している。
【０００４】
【発明が解決しようとする課題】
以上の従来の植栽容器による植栽や道路の直接植栽における植栽植物への給水は、人工給水と自然降雨が頼りにして、その上単純に培土表面に散水潅水する手段に過ぎないので、特に高温季や降雨が少い時は頻繁な人工給水が不可欠にして植栽管理に多大の手数を要して煩わしく、植物生育不良や枯死させるトラブルが多い。
【０００５】
そして、道路面に直接植栽したり容器植栽すると路面の有効スペースを狭くして道路機能を害すると共に、季節毎に草花類を植え代る手数が大にして管理が煩わしく管理コストが大になる。以上の難点がある。
【０００６】
本発明は、以上の従来技術の難点を解消する「草花類の植栽方法と、それに用いる道路類区画用ブロック・植栽容器」を提供するものである。
【０００７】
【課題を解決するための手段】
以上の技術課題を解決する本発明は「草花類を植栽ブロックまたは植栽容器で植栽するにおいて、前記植栽ブロックまたは植栽容器の深孔状の植栽部の下半部分に設けた給水貯水層に連通し、かつ、該植栽ブロックまたは植栽容器の側壁に開口する給水路を設け、しかるのち、前記給水路に雨水・給水を導入水することによって、前記給水路を通した該導入水を前記給水貯水層に貯水し、続いて該貯水を上層の培土層へ順次給水させて植栽することを特徴とする草花類の植栽方法」の第１発明と、
【０００８】
「道路類区画用ブロックにおいて、該ブロックの上面に開口して、上半部分が培土層にして下半部分を給水貯水層に成す深孔状の植栽部と、該ブロックの側壁に導水口を開口し、かつ該給水貯水層に連通する給水路を備え、該給水路から雨水・給水を該給水貯水層へ導水給水する構造を特徴とする道路類区画用ブロック」の第２発明と、
【０００９】
「草花類の植栽容器において、該植栽容器の上面に開口して上半部分が培土層にして下半部分を給水貯水層に成す深孔状の植栽部と、該植栽容器の側壁に開口する導水口から該給水貯水槽に連通する給水路を備え、さらに、該側壁に雨水・給水を該導水口に導入水する導水樋を設けた構造を特徴とする草花類の植栽容器」の第３発明によって構成されている。
【００１０】
即ち、前記第１〜第３発明の植栽方法・道路類区画用ブロック・植栽容器は、雨水や人工給水を前記の給水路に自動的に集水導水して、培土層の下方に存在する給水貯水層に貯水すると共に、その給水貯水層の水分を毛細管現象によって上層の培土層へ適量づつ順次継続的に吸い上げ給水させて草花類への良好な給水を安定持続させる思想を特徴とするものである。
【００１１】
そして、前記構成の第２発明・第３発明の道路類区画用ブロック・植栽容器は、前記特有思想に基づく特有作用のさらなる向上を図る意図から「前記の植栽部に草花類を直接植栽しないで、該栽培部に装着セット・外し自在の栽培ポットを設ける態様」や「給水貯水層を杉・檜の樹皮細片層で構成する態様」或は「栽培ポット外周と植栽部の内周との間に、保温用空隙を設ける態様」または「栽培ポットが、下半部分を給水貯水層に成すポット本体と、培土を入れて該ポット本体の上半部分に装着セット・外し自在の培土ポットとの組合せ形態」等を採択する。
【００１２】
【作用】
前記第１発明の植栽方法と前記第２・第３発明の道路類区画用ブロック・植栽容器は、給水路に導入した雨水・給水を前記給水貯水層に貯水して、その給水貯水層の毛細管現象によって上方の培土層へ適量づつ継続的に自動供給作用するので、高温季や降雨量が少い渇水季でも培土に植えた草花類は安定した給水を持続的に享受し、順調な生育植栽ができる。そして、頻繁な人工給水や煩雑な給水管理が緩和され、草花類の植栽管理が特段に簡便になる。
【００１３】
そして、本発明の道路類区画用ブロックは、路面の降雨が集水する道路ガーターに導水口を臨ませることができるので、安定した給水貯水が持続可能にして、夏季等に激しい路面反射を受ける路面での草花類の順調な植栽が可能になり、さらに、路面の有効面積を阻害しない区画用ブロックでの草花類の植栽が可能になって路面の有効面積の拡大確保ができる。
【００１４】
そして、第３発明の植栽容器は、容器側壁に前記の導水樋を備えているので、その導水樋が道路ガーターと同様に雨水・給水の集水導水部として機能し、段落００１３に示す区画用ブロックと同一の作用が享受できる。以上の主たる作用がある。
【００１５】
【発明の実施の形態】
まず、第１発明と第２発明の１実施形態を図１・図２を参照して説明する。即ち、この実施形態の道路類区画用ブロック１は（以下、単に区画ブロック１という）車道８と歩道９の区画部分に直列連鎖状に敷設する横断面略方形長尺体の公知のコンクリートブロックにして、その上面３に任意間隔で並設されて開口する直方体形空間の植栽部５が深孔状に設けられている。
【００１６】
そして、その植栽部５は車道８側の側面４に開口する導水口６を入口にして植栽部５の上下方向の中間部位に連通するトンネル状の給水路７を設けた構造を有し、以下に詳述する栽培ポット１０が植栽部５の開口部から装着セット・外し自在に装着される。
【００１７】
詳しくは（図１（Ｂ）（Ｃ）参照）栽培ポット１０は樹脂段ボール板で有底・上部開口の中空角柱状に枠囲いしたポット体にして、植栽部５への装着セット状態で区画ブロック１の給水路７の終端と接合して連通する給水口１３を備えたポット本体１１と、このポット本体１１の上半部分に装着セット・外し自在に内装着する「同じく樹脂段ボール板製にして網状底１４を有して上方開口する培土ポット１２」との組合せに成っている。なお、給水口１３は異物侵入を防止する濾過網形態に設定されている。
【００１８】
そして、ポット本体１１の下半部分には杉・檜の樹皮細片を充填した給水貯水層２０を設けると共に、培土ポット１２の内部を所要の培土を入れた培土層２１に成し、ポット本体１１の上半中空部へ装着すると、ポット本体１１の給水貯水層２０の上端と培土ポット１２の底部１４が接合して２層重合に成るように設定されている。
【００１９】
そして導水口６は（図２参照）区画ブロック１を車道８と歩道９の境界に正常に敷設したとき、車道８のガーター部Ｇの底と導水口６の底が一致する位置に設定されている。そして、培土ポット１２の上縁には植栽部５への装着セット状態で区画ブロック１の上面３に接合するフランジ１５が設けてあり、このフランジ１５を利用することによって培土ポット１２がポット本体１１から引き上げ抜き取りできる。
【００２０】
以上の区画ブロック１によって以下の方法で草花類Ｆを植栽する。即ち、ポット本体１１から外した単体の培土ポット１２に所定の草花類Ｆを植えて、道路に敷設した区画ブロック１のポット本体１１に装着セットして下記の作用享受させて植栽する。
【００２１】
即ち、車道８への降雨や人口散水の路面流水Ｗが車道８のガーター部Ｇに集水すると、その集水が導水口６から給水路７を通して自然流入して給水貯水層２０に貯水されると共に、その貯水が給水貯水層２０の毛細管現象によって上昇して培土層２１に順次継続的に吸い上げられ、培土層２１が適度にして安定して含水状態に維持されて草花類Ｆの円滑・順調な植栽ができる。
【００２２】
以上の実施形態の栽培方法と区画ブロック１は前記の主たる作用の他、下記の特有作用がある。即ち、給水貯水層２０が殺菌力を有する杉・檜樹皮の細片層から成るので、水が腐らず根腐菌の発生を防止して草花類の順調な植栽を安定助長する。
【００２３】
そして、装着・外し自在の培土ポット１２に、希望する草花類Ｆを植えて準備し、その培土ポット１２を交換するのみで極めて簡便に草花類Ｆの交換ができると共に、栽培ポット１０が段ボール板製にして保温断熱性に優れるので、熱容量の大なるコンクリートブロックの夏季高温や冬季寒冷による草花類Ｆへの悪影響を防止することができる。
【００２４】
さらに、この実施形態の給水貯水層２０は、キャパシティーが大にして給水路７の下方部位にも存在するので、貯水量が大にして多量給水が必要な夏季・渇水期にも特別の人工給水を施すことなく、草花類Ｆの正常な植栽が維持できる。以上の特有作用がある。
【００２５】
続いて、図３を参照して区画ブロック１の他の実施形態を説明する。図３（Ａ）（Ｂ）は同一路面高さの車道８と歩道９の境界ブロックまたは道路の中央分離ブロックとして用いる区画ブロック１にして、両側壁４に導水口６を有する給水路７と植栽部５を設けた構造を有し前記実施形態のものと同様に使用されて機能するように成っている。
【００２６】
そして、図３（Ｃ）（Ｄ）は図１の境界ブロック１を「道路のガーター部Ｇに相当するテーパー状の導水溝２３を上面に有する台盤２２」に一体にセットまたは組合せ構造を有している。
【００２７】
続いて図４を参照して第３発明の植栽容器２の１実施形態を説明する。即ち、この植栽容器２は前記の区画ブロック１と同様な構造・機能を有して軽量にして移動し易く、一般家庭等の屋外地面や道路上に設置して一般に広く活用できる構造にしたもので、中空ケース形態にして上面３に開口する植栽部５を多数個配設し、かつ、植栽部５のそれぞれの導水口６を有する容器本体３０と、この容器本体３０を載置する「導水樋３２つき植栽台３１」との組合せ構造に成っている。
【００２８】
詳しくは、容器本体３０は導水口６の下縁を下端とする下方開放の中空ケース体にして植栽部５のそれぞれに図１に示す栽培ポット１０が装入セット・外し自在に装着できる。
【００２９】
そして、植栽台３１は、容器本体３０と組合せセットしたとき、容器本体３０に装着した栽培ポット１０の給水口１３の下縁部位から上方傾斜する給水路７と、この給水路７の延長部分となって傾斜して側壁４から突き出して側壁４の長手方向に連続する導水樋３２が受皿状に一体に設けてある。なお、図中の３３は容器本体３０の水抜き孔である。
【００３０】
そして、草花類Ｆを植栽した栽培ポット１０を装着して屋外に定置すると、区画ブロック１と同様に雨水や人工給水が導水樋３２によって受け止められて、導水口６から給水路７を経由して栽培ポット１０の給水貯水層２０に給水貯水されるように構成されている。
【００３１】
以上の実施形態の栽培容器２は前記実施形態の区画ブロック１と同一の作用を奏すると共に、薄板ケース構造にして軽量であることから、位置換えや設置・撤去が簡便にして前記の一般家庭・店頭用の他、短期期間開催の各種イベントの装飾用や臨時花壇等として極めて便利に活用できる。
【００３２】
なお、この植栽容器２は樹脂板・陶製・金属製によて可及的軽量に形成され、容器本体３１と植栽台３０を一体構造にしたり、導水樋３２を別体組合せ形態等にすることがある。
【００３３】
なお本発明の区画ブロック１・植栽容器２は前記の実施形態に限定されず、前記の栽培ポット１０を省略して植栽部５に「給水貯水層２０と培土層２１」を直接設けたり、或は栽培ポット１０をポット本体１１のみの形態にすることがあり、さらに、給水貯水層２０は前記の毛細管現象可能な他の粒状物層に変更したり、バイオ菌等を添加したりすることがある。
【００３４】
さらに、企画ブロック１はコンクリート製のみではなく「粘度焼成物・樹脂製・木製」のブロックでも良く、また植栽部５・栽培ポット１０は円柱形であっても良く、前記の培土ポット１２は給水貯水層２０からの自吸水性能の向上を図るために「底部１４に吸水材を添着したり、吸水紐を垂れ下げる」等の形態にすることがある。
【００３５】
そして、区画ブロック１は道路区画・花壇等の輪郭区画のみではなく、必要場所に定置する植栽ブロックとしても活用するものにして、それ等の用法のいずれのものも前記第２発明の技術的範囲に包含される。また栽培ポット１０は通常の薄板構造にして植栽部５の内周との間に保温用空隙を設ける形態にして、前記の段ボール形態のものと同様な断熱保温効果を機能させる態様にすることがある。
【００３６】
【発明の効果】
以上の説明のとおり本発明の草花類の植栽方法と道路類区画用ブロック・植栽容器は、雨水利用による良好な草花類植栽ができると共に、夏季高温期や渇水期にも煩雑にして手数がかかる人工給水が簡素化・省略可能にして草花類植栽の日常管理が簡素化して広く一般の便宜を向上する。
【００３７】
そして、本発明の道路類区画用ブロックは、区画ブロック自体に草花類の良好な植栽機能を付与して、草花類の植栽による道路有効面積の低減を防止すると共に、道路や各種イベント会場や広場・公園等の美観向上と環境雰囲気改善をを図ることができる。以上の有用な効果がある。
【図面の簡単な説明】
【図１】第２発明１実施形態の道路類区画用ブロックを示し、（Ａ）はその斜視図、（Ｂ）は栽培ポットの斜視図、（Ｃ）はその横断面図と使用状態の説明図
【図２】図１実施形態の道路類区画用ブロックの使用状態の説明図
【図３】第２発明の他の実施形態の道路類区画用ブロックを示し、（Ａ）はその平面図、（Ｂ）は（Ａ）の使用状態の横断面図、（Ｃ）はその平面図、（Ｄ）は（Ｃ）の使用状態の横断面図
【図４】第３発明１実施形態の植栽容器を示し、（Ａ）はその斜視図、（Ｂ）はその使用状態の横断面図
【符号の説明】
１  道路類区画用ブロック
２  植栽容器
５  植栽部
６  導水口
７  給水路
１０  栽培ポット
１１  ポット本体
１２  培土ポット
１３  給水口
２０  給水貯水層
２１  培土層
３０  容器本体
３１  植栽台
３２  導水樋
Ｆ  草花類
Ｗ  路面流水
【図１】
2004242546.tif 000003
【図２】
2004242546.tif 000004
【図３】
2004242546.tif 000005
【図４】
2004242546.tif 000006
【手続補正書】
【提出日】平成15年11月21日(2003.11.21)
【手続補正１】
【補正対象書類名】明細書
【補正対象項目名】全文
【補正方法】変更
【補正の内容】
【特許請求の範囲】
【請求項１】道路類区画用ブロックにおいて、該ブロックの上面に開口する深孔状の植栽部と、該ブロックの側壁にして道路類表面に臨む導水口を開口し、かつ前記植栽部の中間部分に連通する給水路を備え、さらに前記植栽部に、培土層ポットと給水貯水層ポットを上下２層にして上方から個別抜き出し自在に収納し、前記給水路から雨水・給水を前記給水貯水層ポットに貯水して前記培土層ポットに順次給水し、該培土層ポットに草花類を植栽する構造を特徴とする道路類区画用ブロック。
【発明の詳細な説明】
【０００１】
【発明の属する技術分野】
本発明は、草花類植栽用の道路類区画用ブロックに関するものである。
【０００２】
なお、本発明の道路類区画用ブロックとは、公知の車道・歩道の区画用ブロックの他、花壇等の輪郭ブロックを含めたものを意味し、草花類とは容器植栽する通常の草花以外の植物を含めたものを意味する。
【０００３】
【従来の技術】
美観向上や良好な環境雰囲気を醸成する意図から、道路面に小植物や草花を直接植栽したり、草花類を植栽した植栽容器を設置する草花類の植栽方法が一般に広く普及している。
【０００４】
【発明が解決しようとする課題】
以上の従来の植栽容器による植栽や道路の直接植栽における植栽植物への給水は、人工給水と自然降雨が頼りにして、その上単純に培土表面に散水潅水する手段に過ぎないので、特に高温季や降雨が少い時は頻繁な人工給水が不可欠にして植栽管理に多大の手数を要して煩わしく、植物生育不良や枯死させるトラブルが多い。
【０００５】
そして、道路面に直接植栽したり容器植栽すると路面の有効スペースを狭くして道路機能を害すると共に、季節毎に草花類を植え代る手数が大にして管理が煩わしく管理コストが大になる。以上の難点がある。
【０００６】
本発明は、以上の従来技術の難点を解消する「草花類植栽用の道路類区画用ブロック」を提供するものである。
【０００７】
【課題を解決するための手段】
以上の技術課題を解決する本発明は「道路類区画用ブロックにおいて、該ブロックの上面に開口する深孔状の植栽部と、該ブロックの側壁にして道路類表面に臨む導水口を開口し、かつ前記植栽部の中間部分に連通する給水路を備え、さらに前記植栽部に、培土層ポットと給水貯水層ポットを上下２層にして上方から個別抜き出し自在に収納し、前記給水路から雨水・給水を前記給水貯水層ポットに貯水して前記培土層ポットに順次給水し、該培土層ポットに草花類を植栽する構造」が特徴である。
【０００８】
即ち、前記の本発明の道路類区画用ブロックは、雨水や人工給水を前記の給水路に自動的に集水導水して、培土層の下方に存在する給水貯水層に貯水すると共に、その給水貯水層の水分を毛細管現象によって上層の培土層へ適量づつ順次継続的に吸い上げ給水させて草花類への良好な給水を安定持続させる思想を特徴とするものである。
【０００９】
以上の本発明の道路類区画用ブロックは、路面の降雨が集水する道路ガーターに導水口を臨ませることができるので、安定した給水貯水が持続可能にして、夏季等に激しい路面反射を受ける路面での草花類の順調な植栽が可能になり、さらに、路面の有効面積を阻害しない区画用ブロックでの草花類の植栽が可能になって路面の有効面積の拡大確保ができる。
【００１０】
【発明の実施の形態】
まず、本発明の１実施形態を図１・図２を参照して説明する。即ち、この実施形態の道路類区画用ブロック１は（以下、単に区画ブロック１という）車道８と歩道９の区画部分に直列連鎖状に敷設する横断面略方形長尺体の公知のコンクリートブロックにして、その上面３に任意間隔で並設されて開口する直方体形空間の植栽部５が深孔状に設けられている。
【００１１】
そして、その植栽部５は車道８側の側面４に開口する導水口６を入口にして植栽部５の上下方向の中間部位に連通するトンネル状の給水路７を設けた構造を有し、以下に詳述する栽培ポット１０が植栽部５の開口部から装着セット・外し自在に装着される。
【００１２】
詳しくは（図１（Ｂ）（Ｃ）参照）栽培ポット１０は樹脂段ボール板で有底・上部開口の中空角柱状に枠囲いしたポット体にして、植栽部５への装着セット状態で区画ブロック１の給水路７の終端と接合して連通する給水口１３を備えたポット本体１１と、このポット本体１１の上半部分に装着セット・外し自在に内装着する「同じく樹脂段ボール板製にして網状底１４を有して上方開口する培土ポット１２」との組合せに成っており、このポット本体１１の下半部分が前記構成要件の給水貯水層ポットに相当している。なお、給水口１３は異物侵入を防止する濾過網形態に設定されている。
【００１３】
そして、ポット本体１１の下半部分には杉・檜の樹皮細片を充填した給水貯水層２０を設けると共に、培土ポット１２の内部を所要の培土を入れた培土層２１に成し、ポット本体１１の上半中空部へ装着すると、ポット本体１１の給水貯水層２０の上端と培土ポット１２の底部１４が接合して２層重合に成るように設定されている。
【００１４】
そして導水口６は（図２参照）区画ブロック１を車道８と歩道９の境界に正常に敷設したとき、車道８のガーター部Ｇの底と導水口６の底が一致する位置に設定されている。そして、培土ポット１２の上縁には植栽部５への装着セット状態で区画ブロック１の上面３に接合するフランジ１５が設けてあり、このフランジ１５を利用することによって培土ポット１２がポット本体１１から個別に引き上げ抜き取りできる。
【００１５】
以上の区画ブロック１によって以下の方法で草花類Ｆを植栽する。即ち、ポット本体１１から外した単体の培土ポット１２に所定の草花類Ｆを植えて、道路に敷設した区画ブロック１のポット本体１１に装着セットして下記の作用を享受させて植栽する。
【００１６】
即ち、車道８への降雨や人口散水の路面流水Ｗが車道８のガーター部Ｇに集水すると、その集水が導水口６から給水路７を通して自然流入して給水貯水層２０に貯水されると共に、その貯水が給水貯水層２０の毛細管現象によって上昇して培土層２１に順次継続的に吸い上げられ、培土層２１が適度にして安定して含水状態に維持されて草花類Ｆの円滑・順調な植栽ができる。
【００１７】
以上の実施形態の区画ブロック１は前記の主たる作用の他、下記の特有作用がある。即ち、給水貯水層２０が殺菌力を有する杉・檜樹皮の細片層から成るので、水が腐らず根腐菌の発生を防止して草花類の順調な植栽を安定助長する。
【００１８】
そして、装着・外し自在の培土ポット１２に、希望する草花類Ｆを植えて準備し、その培土ポット１２を交換するのみで極めて簡便に草花類Ｆの交換ができると共に、栽培ポット１０が段ボール板製にして保温断熱性に優れるので、熱容量の大なるコンクリートブロックの夏季高温や冬季寒冷による草花類Ｆへの悪影響を防止することができる。
【００１９】
さらに、この実施形態の給水貯水層２０は、キャパシティーが大にして給水路７の下方部位にも存在するので、貯水量が大にして多量給水が必要な夏季・渇水期にも特別の人工給水を施すことなく、草花類Ｆの正常な植栽が維持できる。以上の特有作用がある。
【００２０】
続いて、図３を参照して区画ブロック１の他の実施形態を説明する。図３（Ａ）（Ｂ）は同一路面高さの車道８と歩道９の境界ブロックまたは道路の中央分離ブロックとして用いる区画ブロック１にして、両側壁４に導水口６を有する給水路７と植栽部５を設けた構造を有し前記実施形態のものと同様に使用されて機能するように成っている。
【００２１】
そして、図３（Ｃ）（Ｄ）は図１の境界ブロック１を「道路のガーター部Ｇに相当するテーパー状の導水溝２３を上面に有する台盤２２」に一体にセットまたは組合せ構造を有している。
【００２２】
なお本発明の区画ブロック１は前記の実施形態に限定されず、給水貯水層２０は前記の毛細管現象可能な他の粒状物層に変更したり、バイオ菌等を添加したり、さらに、区画ブロック１はコンクリート製のみではなく「粘度焼成物・樹脂製・木製」のブロックでも良く、また植栽部５・栽培ポット１０は円柱形であっても良く、前記の培土ポット１２は給水貯水層２０からの自吸水性能の向上を図るために「底部１４に吸水材を添着したり、吸水紐を垂れ下げる」等の形態にすることがある。
【００２３】
そして、区画ブロック１は道路区画・花壇等の輪郭区画のみではなく、必要場所に定置する植栽ブロックとしても活用する。また栽培ポット１０は通常の薄板構造にして植栽部５の内周との間に保温用空隙を設ける形態にして、前記の段ボール形態のものと同様な断熱保温効果を機能させる態様にすることがある。
【００２４】
【発明の効果】
以上の説明のとおり本発明の道路類区画用ブロックは、雨水利用による良好な草花類植栽ができると共に、夏季高温期や渇水期にも煩雑にして手数がかかる人工給水が簡素化・省略可能にして草花類植栽の日常管理が簡素化して広く一般の便宜を向上する。
【００２５】
そして、区画ブロック自体に草花類の良好な植栽機能を付与して、草花類の植栽による道路有効面積の低減を防止すると共に、道路や各種イベント会場や広場・公園等の美観向上と環境雰囲気改善をを図ることができる。以上の有用な効果がある。
【図面の簡単な説明】
【図１】本発明１実施形態の道路類区画用ブロックを示し、（Ａ）はその斜視図、（Ｂ）は栽培ポットの斜視図、（Ｃ）はその横断面図と使用状態の説明図
【図２】図１実施形態の道路類区画用ブロックの使用状態の説明図
【図３】本発明の他の実施形態の道路類区画用ブロックを示し、（Ａ）はその平面図、（Ｂ）は（Ａ）の使用状態の横断面図、（Ｃ）はその平面図、（Ｄ）は（Ｃ）の使用状態の横断面図
【符号の説明】
１  道路類区画用ブロック
５  植栽部
６  導水口
７  給水路
１０  栽培ポット
１１  ポット本体
１２  培土ポット
１３  給水口
２０  給水貯水層
２１  培土層
Ｆ  草花類
Ｗ  路面流水


【手続補正２】
【補正対象書類名】図面
【補正対象項目名】図４
【補正方法】削除
【補正の内容】